(57)【要約】  超音波出力装置は、第１及び第２のハンドピースの設定情報を表示する第１及び第２の表示意画面を備えた表示部と、第１及び第２のハンドピースが超音波出力装置に接続されたことを検知した場合には、第１及び第２の表示画面にそれぞれ第１及び第２のハンドピースの設定情報を表示し、かつ、第１のハンドピースのみが超音波出力装置に接続されていることを検知した場合には、第１のハンドピースの設定情報を表示部の全体に表示し、かつ、第２のハンドピースのみが超音波出力装置に接続されていることを検知した場合には、第２のハンドピースの設定情報を表示部の全体に表示するように、第１及び第２のハンドピースの接続状態に応じて表示部の分割数を制御するＧＵＩ制御部とを有する。
2011052390.tif 000002
【特許請求の範囲】
【請求項１】
少なくとも２つの医療用デバイスを接続可能な医療用装置であって、
第１の医療用デバイスの設定情報を表示する第１の表示画面と、第２の医療用デバイスの設定情報を表示する第２の表示画面とを備えた、各デバイスの設定情報を表示するための表示部と、
前記第１の医療用デバイス及び前記第２の医療用デバイスが前記医療用装置に接続されたことを検知した場合には、前記第１及び前記第２の表示画面にそれぞれ前記第１及び前記第２の医療用デバイスの設定情報を表示し、かつ、前記第１の医療用デバイスのみが前記医療用装置に接続されていることを検知した場合には、前記第１の医療用デバイスの設定情報を前記表示部の全体に表示し、かつ、前記第２の医療用デバイスのみが前記医療用装置に接続されていることを検知した場合には、前記第２の医療用デバイスの設定情報を前記表示部の全体に表示するように、前記第１及び前記第２の医療用デバイスの接続状態に応じて前記表示部の分割数を制御する制御部と、
を有することを特徴とする医療用装置。
【請求項２】
前記第１の表示画面と前記第２の表示画面は、前記医療用装置に備えられた前記第１及び前記第２の医療用デバイスを接続するためのコネクタの配列と同様の配列で前記表示部に表示されていることを特徴とする請求項１に記載の医療用装置。
【請求項３】
前記第１及び前記第２の医療用デバイスは、それぞれ第１の出力モードと第２の出力モードとを有することを特徴とする請求項１に記載の医療用装置。
【請求項４】
前記医療用装置は、前記第１及び前記第２の医療用デバイスに超音波駆動信号を出力する超音波出力装置であることを特徴とする請求項１に記載の医療用装置。
【請求項５】
前記医療用デバイスは、医療用ハンドピースであることを特徴とする請求項１に記載の医療用装置。
【請求項６】
少なくとも２つの医療用デバイスを接続可能な医療用装置であって、
各医療用デバイスの設定情報を表示する表示部と、
前記医療用装置に接続された医療用デバイスの数に応じて、前記表示部を複数の表示画面に分割し、前記複数の表示画面に前記各医療用デバイスの設定情報を表示するとともに、接続されていない医療用デバイスに対応する表示画面はグレーアウト状態で表示する制御を行う制御部と、
を有することを特徴とする医療用装置。
【請求項７】
前記グレーアウト状態で表示された前記接続されていない医療用デバイスの表示画面において、前記接続されていない医療用デバイスの設定情報を変更可能であることを特徴とする請求項６に記載の医療用装置。
【請求項８】
前記第１及び前記第２の医療用デバイスは、それぞれ第１の出力モードと第２の出力モードとを有することを特徴とする請求項６に記載の医療用装置。
【請求項９】
前記医療用装置は、前記第１及び前記第２の医療用デバイスに超音波駆動信号を出力する超音波出力装置であることを特徴とする請求項６に記載の医療用装置。
【請求項１０】
前記医療用デバイスは、医療用ハンドピースであることを特徴とする請求項６に記載の医療用装置。
【請求項１１】
少なくとも２つの医療用デバイスを接続可能な医療用装置であって、
各医療用デバイスの設定情報を表示する表示部と、
前記医療用装置に接続された医療用デバイスの数に応じて、前記表示部を複数の表示画面に分割し、前記複数の表示画面に前記各医療用デバイスの設定情報を表示するとともに、出力中の医療用デバイスに対応する表示画面を、出力中であることを示すように強調表示する制御を行う制御部と、
を有することを特徴とする医療用装置。
【請求項１２】
前記出力中の医療用デバイスに対応する表示画面は、前記デバイスのモード色で覆われていることを特徴とする請求項１１に記載の医療用装置。
【請求項１３】
前記第１及び前記第２の医療用デバイスは、それぞれ第１の出力モードと第２の出力モードとを有することを特徴とする請求項１１に記載の医療用装置。
【請求項１４】
前記医療用装置は、前記第１及び前記第２の医療用デバイスに超音波駆動信号を出力する超音波出力装置であることを特徴とする請求項１１に記載の医療用装置。
【請求項１５】
前記医療用デバイスは、医療用ハンドピースであることを特徴とする請求項１１に記載の医療用装置。
【発明の詳細な説明】
【技術分野】
【０００１】
本発明は、医療用装置に関し、特に、医療用デバイスの設定情報を表示する表示部を備えた医療用装置に関する。
【背景技術】
【０００２】
近年、処置対象の生体組織等に対して、超音波エネルギを用いて処置を行う超音波出力装置、あるいは、高周波電流により処置を行う高周波出力装置（電気メス装置ともいう）が広く用いられるようになっている。【０００３】
超音波出力装置は、接続される医療用デバイスの設定情報を表示する表示部を有している。ユーザは、この表示部に表示される設定情報を確認し、医療用デバイスの動作状態を把握する。【０００４】
近年、超音波出力装置には、複数の医療用デバイスが接続されるようになっており、複数の医療用デバイスの設定情報を表示部に効率良く表示させることが大きな課題となっている。【０００５】
例えば、特開平７−２３１８９６号公報には、複数の装置の接続状態を自動認識し、表示画面の予め決められた表示領域に、接続されている装置の設定値あるいは動作状態等を表示するシステム制御装置が開示されている。【０００６】
このシステム制御装置は、光源装置及び気腹装置等の複数の装置の接続状態をシステムコントローラが検知し、集中表示パネルの予め決められた表示領域に、７セグメントLEDを用いて接続されている装置の設定値等を表示するように構成されている。【０００７】
しかしながら、複数の装置を接続可能である場合、装置の数に応じて表示画面に表示すべき設定情報が増えてしまう。また、表示画面の大きさは限られているため、接続される装置が増えるほど、１つの装置の設定情報を表示する表示領域が小さくなってしまう。そのため、接続可能な全ての装置の設定情報を常に表示するようにすると、ユーザにとって設定情報の認識性が悪くなってしまうという問題がある。【０００８】
そこで、本発明は、医療用デバイスの接続状態に応じて、表示画面を分割して最適な画面を自動的に表示することができる医療用装置を提供することを目的とする。
【発明の開示】
【課題を解決するための手段】
【０００９】
本発明の一態様によれば、少なくとも２つの医療用デバイスを接続可能な医療用装置であって、第１の医療用デバイスの設定情報を表示する第１の表示画面と、第２の医療用デバイスの設定情報を表示する第２の表示画面とを備えた、各デバイスの設定情報を表示するための表示部と、前記第１の医療用デバイス及び前記第２の医療用デバイスが前記医療用装置に接続されたことを検知した場合には、前記第１及び前記第２の表示画面にそれぞれ前記第１及び前記第２の医療用デバイスの設定情報を表示し、かつ、前記第１の医療用デバイスのみが前記医療用装置に接続されていることを検知した場合には、前記第１の医療用デバイスの設定情報を前記表示部の全体に表示し、かつ、前記第２の医療用デバイスのみが前記医療用装置に接続されていることを検知した場合には、前記第２の医療用デバイスの設定情報を前記表示部の全体に表示するように、前記第１及び前記第２の医療用デバイスの接続状態に応じて前記表示部の分割数を制御する制御部と、を有することを特徴とする医療用装置を提供することができる。
【図面の簡単な説明】
【００１０】
【図１】本発明の実施の形態に係る手術システムの構成を説明するための図である。
【図２】超音波出力装置を正面から見た正面図である。
【図３Ａ】高周波出力装置の内部構成を示すブロック図である。
【図３Ｂ】超音波出力装置の内部構成を示すブロック図である。
【図４】出力回路４４の出力の２重化について説明する図である。
【図５】ハンドピースコネクタ及び出力コネクタの電気的構成を示す図である。
【図６】メニュー画面７０の表示例を説明するための図である。
【図７】ハンドピース２ａが超音波出力装置４に接続されている場合の表示画面の例を説明するための図である。
【図８】ハンドピース２ｂが超音波出力装置４に接続されている場合の表示画面の例を説明するための図である。
【図９】ハンドピース２ａ及び２ｂが超音波出力装置４に接続されているときの表示画面の例を説明するための図である。
【図１０】ハンドピース２ａ及び２ｂが超音波出力装置４に接続されていないときの表示画面の例を説明するための図である。
【図１１】ハンドピース２ｂが超音波出力装置４に接続されていないときの表示画面の例を説明するための図である。
【図１２】ハンドピース２ａが超音波出力装置４に接続されているときに、SEAL＆CUTモードで出力した場合の表示画面の例を説明するための図である。
【図１３】ハンドピース２ａが超音波出力装置４に接続されているときに、SEALモードで出力した場合の表示画面の例を説明するための図である。
【図１４】ハンドピース２ｂが超音波出力装置４に接続されているときに、MAXモードで出力した場合の表示画面の例を説明するための図である。
【図１５】ハンドピース２ｂが超音波出力装置４に接続されているときに、VARモードで出力した場合の表示画面の例を説明するための図である。
【図１６】ハンドピース２ａ及び２ｂが超音波出力装置４に接続されているときに、SEAL＆CUTモードで出力した場合の表示画面の例を説明するための図である。
【図１７】ハンドピース２ａ及び２ｂが超音波出力装置４に接続されているときに、SEALモードで出力した場合の表示画面の例を説明するための図である。
【図１８】ハンドピース２ａ及び２ｂが超音波出力装置４に接続されているときに、MAXモードで出力した場合の表示画面の例を説明するための図である。
【図１９】ハンドピース２ａ及び２ｂが超音波出力装置４に接続されているときに、VARモードで出力した場合の表示画面の例を説明するための図である。
【図２０】３つのハンドピースが超音波出力装置４に接続されているときの表示画面の例を説明するための図である。
【図２１】４つのハンドピースが超音波出力装置４に接続されているときの表示画面の例を説明するための図である。
【図２２】表示処理の流れの例を説明するためのフローチャートである。
【図２３】変更処理の流れの例を説明するためのフローチャートである。
【図２４】強調表示処理の流れの例を説明するためのフローチャートである。
【発明を実施するための最良の形態】
【００１１】
以下、図面を参照して本発明の実施の形態を詳細に説明する。【００１２】
図１に示すように、本発明の実施の形態の手術システム１は、ハンドピース２ａ及び２ｂと、高周波出力装置３と、超音波出力装置４とを有して構成されている。【００１３】
高周波出力装置３と超音波出力装置４とは、後述するドッキングコネクタを介して接続されている。また、高周波出力装置３と超音波出力装置４とは、例えば、背面側で通信ケーブル５によって接続されている。【００１４】
高周波出力装置３は、このドッキングコネクタ及び超音波出力装置４を介してハンドピース２ａに対して高周波信号を出力する。【００１５】
医療用装置としての超音波出力装置４は、ハンドピース２ａ及び２ｂのそれぞれに内蔵された後述する超音波振動子８を超音波振動させる超音波駆動信号を出力する。【００１６】
ハンドピース２ａ及び２ｂは、それぞれ処置対象の生体組織に対する処置を行う医療用デバイスである。特に、ハンドピース２ａは、超音波及び高周波を同時に出力し、処置対象の生体組織に対する処置を行う医療用デバイスであり、ハンドピース２ｂは、超音波のみを出力し、処置対象の生体組織に対する処置を行う医療用デバイスである。【００１７】
ハンドピース２ａは、超音波及び高周波を同時に出力する凝固切開モード（以下、SEAL＆CUTモードともいう）と、高周波だけを出力する凝固モード（以下、SEALモードともいう）との２つの出力モードを有している。この２つのモードは、ハンドピース２ａの後述する把持部６に設けられた図示しないハンドスイッチにより切り替えられる。【００１８】
また、ハンドピース２ｂは、超音波を最大にして出力する最大出力モード（以下、MAXモードともいう）と、超音波を可変にして出力する可変出力モード（以下、VARモードともいう）との２つの出力モードを有している。この２つのモードは、ハンドピース２ｂの後述する把持部６に設けられた図示しないハンドスイッチにより切り替えられる。【００１９】
ハンドピース２ａは、術者が把持して操作する把持部６と、この把持部６から前方に延出されたシース部７とを有する。把持部６及びシース部７には、超音波振動子８と、超音波ケーブル９と、高周波ケーブル１０と、ワイヤ１１と、プローブ１２とが内蔵されている。【００２０】
なお、プローブ１２の先端側には、このプローブ１２の先端部と、この先端部に対して開閉自在に稼働する可動片とにより処置部１３が形成される。【００２１】
また、把持部６の後端には、ケーブル１４ａの先端が接続されている。このケーブル１４ａの後端には、ハンドピースコネクタ（以下、ＨＰコネクタという）１５ａが設けられ、ＨＰコネクタ１５ａは、超音波出力装置４の出力コネクタ４６ａに着脱自在に接続される。【００２２】
このケーブル１４ａには、超音波ケーブル９及び高周波ケーブル１０が挿通されており、超音波ケーブル９及び高周波ケーブル１０の後端は、ＨＰコネクタ１５ａを介して超音波出力装置４の出力コネクタ４６ａに接続される。【００２３】
超音波出力装置４は、ケーブル１４ａ内の超音波ケーブル９を介して把持部６内部の超音波振動子８に、超音波駆動信号を供給可能にしている。そして、超音波駆動信号が供給されることにより、超音波振動子８は、超音波振動する。この超音波振動子８は、シース部７内のプローブ１２を介して、その先端部に伝達される。そして、ハンドピース２ａは、この超音波振動エネルギにより、処置対象の生体組織に摩擦熱を発生させ、凝固や切開等の処置を行うことができる。【００２４】
また、ケーブル１４ａ内には、高周波信号を伝達する２本の高周波ケーブル１０も挿通されており、この高周波ケーブル１０の先端の一方はプローブ１２の後端に接続され、他方は可動片に導通するワイヤ１１の後端側に接続されている。なお、可動片、プローブ１２及びワイヤ１１は、高周波信号を伝達する金属等の導体により形成されている。高周波ケーブル１０をワイヤ１１の後端側に接続しないで、シース部７内に挿通されたリード線により可動片に接続する構成にしてもよい。そして、ハンドピース２ａは、処置部１３により把持された生体組織に高周波電流を流すことにより、高周波焼灼の処置を行うことができる。【００２５】
さらに、把持部６には、開閉操作を行うための指掛け部１６が設けられている。術者は、指掛け部１６に指をかけて開閉操作を行うことにより、シース部７内を挿通されたワイヤ１１を牽引して処置部１３における可動片を開閉して処置対象の生体組織を把持することができる。【００２６】
一方、ハンドピース２ｂは、超音波のみを出力するため、ハンドピース２ａに対して高周波ケーブル１０を有していない構成となっている。その他の構成は、ハンドピース２ａと同様のため説明を省略する。【００２７】
ハンドピース２ｂの把持部６の後端には、ケーブル１４ｂの先端が接続されている。このケーブル１４ｂの後端のＨＰコネクタ１５ｂは、超音波出力装置４の出力コネクタ４６ｂに着脱自在に接続される。【００２８】
このケーブル１４ｂには、超音波ケーブル９が挿通されており、超音波ケーブル９の後端は、ＨＰコネクタ１５ｂを介して超音波出力装置４の出力コネクタ４６ｂに接続される。【００２９】
次に、超音波出力装置４の正面の構成について図２を用いて説明する。図２は、超音波出力装置４を正面から見た正面図である。【００３０】
図２に示すように、超音波出力装置４には、出力コネクタ４６ａ及び４６ｂと、表示部６０と、シートスイッチ６１と、シンボル６５ａ及び６５ｂと、電源ボタン６７とが設けられている。また、シートスイッチ６１には、選択ボタン６２と、プローブチェックボタン６３と、メニューボタン６４とが設けられ、出力コネクタ４６ａ及び４６ｂには、それぞれフランジ受け６６ａ及び６６ｂとが設けられている。【００３１】
表示部６０は、後述する個別機器設定画面等を表示する。この表示部６０は、液晶ディスプレイ上にタッチパネルが配置されており、ユーザは、表示画面を指あるは専用のペンで触れることで、例えば、出力レベル等の設定変更ができるようになっている。【００３２】
プローブチェックボタン６３は、プローブチェックを行うためのボタンである。上述したように、ハンドピース２ａは、高周波と超音波とを同時に出力するため、可動片とプローブ１２との間に導電物質を挟んでプローブチェックを行う必要ある。本実施の形態では、プローブチェックボタン６３は、超音波出力のみを行いプローブチェックを行う。これにより、可動片とプローブ１２との間に導電物質を挟んでチェックを行う必要がなくなる。【００３３】
メニューボタン６４は、図６に示すメニュー画面７０を表示させるためのボタンである。ユーザは、このメニューボタン６４を押すことにより、メニュー画面７０を表示部６０に表示することができる。【００３４】
シンボル６５ａ及び６５ｂは、それぞれ、超音波出力装置４の正面の出力コネクタ４６ａ及び４６ｂに対応して設けられている。シンボル６５ａと同様のシンボルが、例えば、ハンドピース２ａの把持部６に印刷等により設けられている。また、シンボル６５ｂと同様のシンボルが、例えば、ハンドピース２ｂの把持部６に印刷等により設けられている。これにより、術者は、ハンドピース２ａの把持部６に設けられているシンボルを確認し、ＨＰコネクタ１５ａを出力コネクタ４６ａ及び４６ｂのいずれに接続すればよいかを認識することができる。この結果、術者は、ＨＰコネクタ１５ａを出力コネクタ４６ｂに誤って接続することを防ぐことができる。【００３５】
また、超音波出力装置４には、複数、ここでは、２つの出力コネクタ４６ａ及び４６ｂが設けられている。２つの出力コネクタ４６ａ及び４６ｂの形状が同じ場合、上述したシンボル６５ａ及び６５ｂを設けるだけでは、ＨＰコネクタを誤装着する虞がある。【００３６】
そこで、ＨＰコネクタ１５ａには、図示しない略四角形状のフランジが設けられており、この略四角形状のフランジが出力コネクタ４６ａのフランジ受け６６ａに嵌合するようになっている。また、ＨＰコネクタ１５ｂには、図示しない略円形状のフランジが設けられており、この略円形状のフランジが出力コネクタ４６ｂのフランジ受け６６ｂに嵌合するようになっている。これにより、ＨＰコネクタと出力コネクタとの誤装着を防止することができる。【００３７】
なお、フランジ受け６６ａ及び６６ｂに異なる色をつける等して、フランジ受け６６ａ及び６６ｂの形状をより目立つようにしてもよい。【００３８】
電源ボタン６７は、超音波出力装置４の電源をONまたはOFFするためのボタンである。【００３９】
ここで、図３A及び図３Bを用いて、高周波出力装置３及び超音波出力装置４の内部構成について説明する。【００４０】
図３Aは、高周波出力装置３の内部構成を示すブロック図であり、図３Bは、超音波出力装置４の内部構成を示すブロック図である。【００４１】
まず、ドッキングコネクタの構成について説明する。【００４２】
超音波出力装置４の収納ケースとしての筐体１８における天板１８ａには、ドッキングコネクタを構成するドッキング雄コネクタ（雄コネクタと略記）１７ａが設けられている。【００４３】
また、高周波出力装置３の収納ケースとしての筐体１９における底板１９ａには、ドッキングコネクタを構成するドッキング雌コネクタ（雌コネクタと略記）１７ｂが設けられている。そして、超音波出力装置４の筐体１８の天板１８ａ上に、高周波出力装置３の筐体１９を載置することにより、両板面における対向する位置にそれぞれ設けられた雄コネクタ１７ａと雌コネクタ１７ｂとをドッキングして接続状態に設定することができる。【００４４】
高周波出力装置３から出力される高周波信号は、筐体１９の底板１９ａに設けられた雌コネクタ１７ｂから、これに対向する超音波出力装置４の筐体１８の天板１８ａ上の位置に設けられた雄コネクタ１７ａを通り、出力コネクタ４６ａに出力される。そして、高周波信号は、出力コネクタ４６ａに接続されるＨＰコネクタ１５ａに接続されたケーブル１４ａを介してハンドピース２ａに伝達される。【００４５】
次に、高周波出力装置３の内部構成について説明する。高周波出力装置３は、正弦波及びバースト波を生成するための波形生成回路２１を内蔵し、この波形生成回路２１から出力される正弦波又はバースト波の信号は、共振回路２２を経てアンプ２３に入力される。【００４６】
アンプ２３により増幅された信号は、出力トランス２４の１次巻線側に印加され、２次巻線側に焼灼用の高周波信号が発生する。【００４７】
この出力トランス２４の２次巻線は、出力される高周波信号を切り替えるリレー切替回路２５を介して例えば４つの出力コネクタ２６ａ、２６ｂ、２６ｃ及び２６ｄと、ドッキングコネクタを構成する雌コネクタ１７ｂとに接続される。【００４８】
なお、上述したように雌コネクタ１７ｂは、筐体１９の底板１９ａに設けられている。  また、共振回路２２は、電圧可変の電源回路２７から電源電圧が供給され、波形生成回路２１と電源回路２７は、制御部としてのＣＰＵ２８により制御される。【００４９】
ＣＰＵ２８は、図示しない設定部による出力モードの設定や出力設定値等に対応して、波形生成回路２１と電源回路２７を制御する。【００５０】
上述した出力トランス２４の２次巻き線の出力信号は、検出部３０を構成する電圧検出回路３０ａと電流検出回路３０ｂとに入力される。【００５１】
電圧検出回路３０ａ及び電流検出回路３０ｂは、それぞれ出力トランス２４の２次巻き線から出力される高周波信号における電圧及び電流を測定、言い換えると、検出する。検出された電圧及び電流は、それぞれＡ／Ｄ変換器３１ａ及び３１ｂによりデジタルの電圧及び電流に変換され、ＣＰＵ２８に入力される。【００５２】
ＣＰＵ２８は、入力された電圧及び電流からそれらの積の高周波電力を算出、言い換えると、検出する。そして、ＣＰＵ２８は、検出された高周波電力の値が上述した設定部により予め設定された設定値となるように電源回路２７による電圧を制御する。【００５３】
また、ＣＰＵ２８は、通信を行う通信回路３２を介して通信コネクタ３３と接続されている。この通信コネクタ３３は通信ケーブル５を介して、図３Bに示す超音波出力装置４側の通信コネクタ５０と接続される。【００５４】
上記リレー切替回路２５と接続された雌コネクタ１７ｂは、上述したように超音波出力装置４側の雄コネクタ１７ａと着脱自在に接続される。【００５５】
また、この雌コネクタ１７ｂにおける例えば２つ接続検知用コネクタピンは、ドッキングコネクタ接続検知回路３５と接続され、このドッキングコネクタ接続検知回路３５は、接続検知用コネクタピンを用いて雄コネクタ１７ａと雌コネクタ１７ｂとの接続を常時検知する。【００５６】
この場合、２つの接続検知用コネクタピンは、他方の雄コネクタ１７ａ側の例えば短絡設定された２つのコネクタピンと接続されるように設定されている。【００５７】
従って、ドッキングコネクタ接続検知回路３５は、２つの接続検知用コネクタピンが導通状態か否かを検知することにより、ドッキングコネクタ１７が接続されているか否かの接続検知をすることができる。【００５８】
そして、ドッキングコネクタ接続検知回路３５による接続検知結果は、ＣＰＵ２８に伝達される。ＣＰＵ２８は、このドッキングコネクタ接続検知回路３５による接続検知結果が未接続の場合には、超音波出力と高周波出力との同時出力を禁止する。【００５９】
換言すると、ＣＰＵ２８は、ドッキングコネクタ１７が接続検知された場合のみ、超音波出力と高周波出力との同時出力を許可する。【００６０】
また、ドッキングコネクタ接続検知回路３５は、雄コネクタ１７ａと雌コネクタ１７ｂとの接続検知をした場合には、リレー切替回路２５の切り替えを制御し、出力トランス２４の出力信号が雌コネクタ１７ｂ側に出力されるように切り替える。なお、このドッキングコネクタ接続検知回路３５でなく、ＣＰＵ２８がその切替の制御を行うようにしても良い。【００６１】
一方、図３Bに示す超音波出力装置４は、発振回路４１ａを内蔵した出力制御回路４１を有する。この出力制御回路４１は、制御部としてのＣＰＵ４２の制御下で、この発振回路４１ａで発振された発振信号の周波数、電流を調整してアンプ４３に出力する。【００６２】
アンプ４３により増幅された信号は、出力回路４４に入力され、この出力回路４４のトランス５８の１時巻き線５８ａに印加される。アンプ４３により増幅された信号は、トランス５８により電圧増幅されて、トランス５８の２次巻き線５８ｂから超音波駆動信号として出力される。【００６３】
本実施の形態では、トランス５８の入力側にコンデンサ５９を設けている。具体的には、トランス５８の１時巻き線５８ａ側に並列にコンデンサ５９を設けている。そして、このコンデンサ５９及び１時巻き線５８ａにより、ノイズ対策用のフィルタとしてのLCフィルタを構成している。【００６４】
このような構成によれば、他機能のために実装されているトランス５８の一時巻き線５８ａを用いてノイズ対策用のフィルタを構成しているため、コンデンサ５９を追加するだけでLCフィルタ形成できる。これにより、ノイズ対策用のフィルタとして、新たにLCフィルタを設けるよりも、部品点数を削減することができる。【００６５】
トランス５８から出力された超音波駆動信号は、この信号を切り替えて出力するリレー切替回路４５を介して２つの出力コネクタ４６ａ及び４６ｂに接続される。なお、アンプ４３のゲインは、ＣＰＵ４２により制御される。このように、リレー切替回路４５によって、出力コネクタ４６ａ及び４６ｂへの出力を切り替えているため、出力コネクタ４６ａ及び４６ｂへの誤切り替えを防ぐために、図４に示すように、出力回路４４の出力を２重化して各出力コネクタ４６ａ及び４６ｂに出力するようにしている。【００６６】
図４は、出力回路４４の出力の２重化について説明する図である。【００６７】
リレー切替回路４５は、スイッチ４５ａ〜４５ｄを有し、スイッチ４５ａはＨアクティブ、スイッチ４５ｂはＬアクティブ、スイッチ４５ｃがＨアクティブ、スイッチ４５ｄがＬアクティブとなっている。そのため、スイッチ４５ａ、４５ｃのスイッチ切替信号としてＨ、スイッチ４５ｂ、４５ｄのスイッチ切替信号としてＬが入力されない場合、出力コネクタ４６ａ及び４６ｂへ超音波駆動信号は出力されなくなる。【００６８】
また、本実施形態のアンプ４３は、デジタルアンプにより構成されている。このデジタルアンプは、アナログの入力信号を搬送波を用いて一旦、パルス幅変調（ＰＷＭ）する。【００６９】
このパルス幅変調波をデジタルアンプ内のスイッチング回路でスイッチングした後、低域濾過フィルタ（ＬＰＦ）を通して、入力信号を増幅した超音波駆動信号として出力回路４４に出力する。【００７０】
このようにデジタルアンプを採用することによって、効率良く超音波駆動信号を生成できる。【００７１】
本実施形態においては、超音波駆動信号の周波数は、可聴周波数領域よりも高い周波数となる４７ｋＨｚ程度であるため、オーディオ機器に用いられている搬送波の周波数よりも高い周波数（例えば１ＭＨｚ）の搬送波を用いている。【００７２】
出力コネクタ４６ａは、雄コネクタ１７ａとも接続されている。そして、コネクタ４６ａは、超音波と高周波を出力するハンドピース２ａに接続される。【００７３】
なお、出力コネクタ４６ｂは、雄コネクタ１７ａとは接続されていないで、高周波出力装置３とは独立して超音波を出力する超音波専用のハンドピース２ｂに接続される。【００７４】
出力回路４４から出力される超音波駆動信号は、検出部４７を構成する電圧検出回路４７ａと電流検出回路４７ｂとに入力され、それぞれ電圧及び電流が測定、言い換えると、検出される。【００７５】
検出された電圧及び電流は、電圧検出回路４７ａ及び電流検出回路４７ｂ内部の図示しないＡ／Ｄ変換器を介してそれぞれＣＰＵ４２に入力される。【００７６】
また、超音波出力装置４には、ハンドピース２ａの超音波振動子８に供給する超音波駆動信号の電力を設定する図示しない設定部が設けてあり、その設定情報はＣＰＵ４２に入力される。【００７７】
ＣＰＵ４２は、設定部により設定された電力を出力回路４４から出力するように、検出部４７を介して検出される電圧及び電流に基づいて出力制御回路４１を介して定電流制御を行う。【００７８】
このため、出力回路４４から出力する際の出力値の制御情報を、出力制御回路４１内のメモリに一時保持し、ＣＰＵ４２はその後に検出された電圧及び電流により出力制御回路４１を介して直前の制御情報を補正するように制御する。【００７９】
また、ＣＰＵ４２は、通信を行う通信回路４９を介して通信コネクタ５０と接続されている。この通信コネクタ５０は通信ケーブル５を介して図３Aに示す高周波出力装置３側の通信コネクタ３３と接続される。ＣＰＵ４２とＣＰＵ２８とは、通信ケーブル５を介して双方向の通信を行うことができる。【００８０】
また、出力コネクタ４６ａ及び４６ｂにおけるコネクタ接続検知ピンは、ＨＰコネクタ接続検知回路５１と接続されている。そして、このＨＰコネクタ接続検知回路５１は、ＨＰコネクタ１５ａ及び１５ｂのそれぞれの接続または未接続を検知する。【００８１】
なお、上記のようにハンドピース２ａは出力コネクタ４６ａに接続され、ハンドピース２ｂは出力コネクタ４６ｂに接続される。ＨＰコネクタ接続検知回路５１は、検知結果の情報をＣＰＵ４２に送信する。【００８２】
ＣＰＵ４２は、検知結果の情報により、ハンドピースが接続された出力コネクタに出力回路４４からの出力信号、即ち、超音波駆動信号を供給するように、出力制御回路４１を介してリレー切替回路４５の切替を制御する。なお、ＣＰＵ４２がリレー切替回路４５の切替を制御するようにしても良い。【００８３】
また、超音波出力装置４には、図示しない２つのフットスイッチが接続されるフットスイッチ（以下、ＦＳＷという）コネクタ５２ａ及び５２ｂを有している。ＦＳＷコネクタ５２ａ及び５２ｂは、ＦＳＷコネクタ接続検知部５３に接続されている。【００８４】
ＦＳＷコネクタ接続検知部５３は、ＦＳＷコネクタ５２ａ及び５２ｂのそれぞれにフットスイッチが接続されているか否かを検知し、検知情報をＣＰＵ４２に出力する。【００８５】
また、超音波出力装置４の背面にはリアパネル５４が設けられている。リアパネル５４には、音量つまみ５５が設けられ、ユーザは、音量つまみ５５を操作することにより、超音波出力装置４の音量を調整することができる。なお、メニューボタン６４を押すことにより、図６に示すメニュー画面７０が表示部６０に表示される。術者は、メニュー画面７０の音量設定部７１の音量調節ボタン７２を操作し、超音波出力装置４の音量を調整することが可能になっている。このメニュー画面７０の音量設定部７１によって設定された音量は、リアパネル５４の音量つまみ５５と連動している。また、高周波出力装置３の図示しない音量つまみと連動してもよく、これにより、高周波出力装置３及び超音波出力装置４の音量を合わせることができる。【００８６】
メモリ５６には、前回、使用していたときの設定情報、即ち、出力レベル等の情報が記憶されている。ＣＰＵ４２は、この出力レベル等の情報をメモリ５６から読み出し、ＧＵＩ制御部５７に出力する。【００８７】
ＧＵＩ制御部５７は、ハンドピース２ａ及び２ｂの接続状態に応じて、表示部６０に表示される表示画面を自動的に切り替える制御を行うと共に、出力レベル等の情報を表示部６０に表示させる制御を行う。【００８８】
図５は、ハンドピースコネクタ及び出力コネクタの電気的構成を示す図である。コネクタピンＰ１及びＰ２は、それぞれ出力コネクタ４６ａのコネクタピンＰ１′及びＰ２′を介して、雄コネクタ１７ａに接続される。コネクタピンＰ３及びＰ４は、それぞれ出力コネクタ４６ａのコネクタピンＰ３′及びＰ４′を介して、リレー切替回路４５に接続される。【００８９】
また、ハンドピース２に設けられた出力スイッチ２０に接続されたコネクタピンＰ５及びＰ６は、それぞれ出力コネクタ４６ｂ側のコネクタピンＰ５′及びＰ６′に接続される。【００９０】
図５の例では、コネクタピンＰ６′は接地され、コネクタピンＰ５′は、ＣＰＵ４２に接続される。この場合、コネクタピンＰ５′は、例えば抵抗Ｒ１によりＨレベルにプルアップされている。そして、出力スイッチ２０がＯＮにされると、コネクタピンＰ５′のレベルはＨレベルからＬレベルとなり、ＣＰＵ４２は、出力スイッチ２０がＯＮにされたことを検知する。ＣＰＵ４２は、ＯＮにされた信号を高周波出力装置３のＣＰＵ２８に通信ケーブル５を介して送信し、高周波信号を出力させると共に、超音波駆動信号を出力する。【００９１】
具体的には、超音波ケーブル９は、出力コネクタ４６ａを介して図３Bに示すリレー切替回路４５に接続される。これに対して高周波ケーブル１０は、出力コネクタ４６ａを介して超音波出力装置４と高周波出力装置３との接続部としてのドッキングコネクタを介して高周波出力装置３内部のリレー切替回路２５に電気的に接続される。【００９２】
そして、超音波と高周波の同時出力の指示操作を行う出力スイッチ２０をONすることにより、超音波出力装置４のＣＰＵ４２から通信ケーブル５を介して高周波出力装置３のＣＰＵ２８に、出力スイッチ２０のON情報が伝達され、ハンドピース２ａには、高周波信号と超音波駆動信号とが同時に出力されることになる。【００９３】
コネクタピンＰ７及びＰ８は、接続検知用のピンであり、それぞれ出力コネクタ４６ａ側のコネクタピンＰ７′及びＰ８′に接続されている。コネクタピンＰ７′及びＰ８′は、ＨＰコネクタ接続検知回路５１に接続されている。また、コネクタピンＰ７及びＰ８間には抵抗Ｒ２が設けられている。【００９４】
そして、ＨＰコネクタ接続検知回路５１は、抵抗Ｒ２の抵抗値を検出することにより、ＨＰコネクタ１５ａが出力コネクタ４６ａに接続されているか否かの接続検知を行うと共に、抵抗Ｒ２の抵抗値に基づいて、どのような種類のハンドピース２ａが接続されたかを検知する。【００９５】
同様に、ＨＰコネクタ１５ｂの接続検知用ピンであるコネクタピンＰ９及びＰ１０は、それぞれ出力コネクタ４６ｂ側のコネクタピンＰ９′及びＰ１０′に接続されている。また、コネクタピンＰ９及びＰ１０間には抵抗Ｒ３が設けられている。なお、ＨＰコネクタ１５ｂは、接続検知用ピンであるコネクタピンＰ９及びＰ１０以外のコネクタピンについては図示を省略している。【００９６】
ＨＰコネクタ接続検知回路５１は、抵抗Ｒ３の抵抗値を検出することにより、ＨＰコネクタ１５ｂが出力コネクタ４６ｂに接続されているか否かの接続検知を行うと共に、抵抗Ｒ３の抵抗値に基づいて、どのような種類のハンドピース２ｂが接続されたかを検知する。【００９７】
ここで、ハンドピース２ａ及び２ｂの接続状態に応じて、表示される表示画面を自動的に切り替える制御について説明する。まず、ハンドピース２ａが超音波出力装置４に接続されたときの表示画面について説明する。【００９８】
図７は、ハンドピース２ａが超音波出力装置４に接続されている場合の表示画面の例を説明するための図である。【００９９】
図７に示す表示画面は、ハンドピース２ａが接続された場合に、表示部に自動的に表示される個別機器設定画面８０である。【０１００】
個別機器設定画面８０は、SEAL＆CUTモードの設定情報を表示する第１の表示画面８１と、SEALモードの設定情報を表示する第２の表示画面８２とを有している。【０１０１】
第１の表示画面８１は、モード情報表示部８３と、出力レベル表示部８４と、出力レベル変更部８５と、切開速度表示部８６とを有している。【０１０２】
モード情報表示部８３には、SEAL＆CUTモードに対応してSEAL&CUTと表示される。出力レベル表示部８４には、現在の設定されている出力レベルが表示される。図７においては、SEAL＆CUTモードの出力レベルは、レベル１に設定されている。なお、本実施の形態では、出力レベルは、例えば、レベル１〜レベル３の３段階で変更可能となっている。【０１０３】
出力レベル変更部８５は、＋ボタン８５ａ及び−ボタン８５ｂを有している。ユーザは、この＋ボタン８５ａまたは−ボタン８５ｂを押すことにより、出力レベルを上げるまたは下げることができる。即ち、SEAL＆CUTモードの出力レベルを上述したレベル１〜レベル３の間で変更可能となっている。【０１０４】
切開速度表示部８６には、出力レベル表示部８４で表示されている出力レベル、即ち、SEAL＆CUTモードの出力レベルに応じた切開速度が表示される。【０１０５】
第２の表示画面８２は、モード情報表示部８７と、出力レベル表示部８８と、出力レベル変更部８９とを有している。【０１０６】
モード情報表示部８７には、SEALモードに対応してSEALと表示される。出力レベル表示部８８には、現在の出力レベルが表示される。図７においては、SEALモードの出力レベルは、レベル２に設定されている
出力レベル変更部８９は、＋ボタン８９ａ及び−ボタン８９ｂを有しており、SEALモードの出力レベルを上述したレベル１〜レベル３の間で変更可能となっている。【０１０７】
また、個別機器設定画面８０は、機種名表示部９０と、シンボルアイコン９１と、ＦＳＷ接続検知アイコン９２ａ及び９２ｂと、通信接続検知アイコン９３と、リターンボタン９４とを有している。【０１０８】
機種名表示部９０には、超音波出力装置４に接続されているハンドピース２ａの機種名が表示される。図７においては、機種名表示部９０には、ハンドピース２ａに対応した機種名として、例えばTHUNDERBEAT（登録商標）と表示されている。【０１０９】
シンボルアイコン９１には、上述したシンボル６５ａと同様のシンボルがアイコンとして表示される。また、このシンボルは、上述したようにハンドピース２ａの把持部６にも設けられている。そのため、ユーザは、シンボルアイコン９１を確認することにより、個別機器設定画面８０に表示されている設定情報がハンドピース２ａの設定情報であることを認識することができる。【０１１０】
ＦＳＷ接続検知アイコン９２ａ及び９２ｂは、ＦＳＷコネクタ接続検知部５３がＦＳＷコネクタ５２ａ及び５２ｂのそれぞれに図示しないフットスイッチが接続されたことを検知すると表示されるアイコンである。また、ＦＳＷ接続検知アイコン９２ａとモード情報表示部８３とは、同一の色によって表示され、ＦＳＷ接続検知アイコン９２ｂとモード情報表示部８７とは、同一の色によって表示されている。【０１１１】
これにより、ユーザは、ＦＳＷ接続検知アイコン９２ａ及び９２ｂを確認することにより、出力レベルの変更等を行うことができる。【０１１２】
通信接続検知アイコン９３は、高周波出力装置３と超音波出力装置４との通信が確立しているときに表示されるアイコンである。上述したように、高周波出力よる処置が行われる場合、高周波出力装置３と超音波出力装置４との間で通信ケーブル５を介して通信が行われる。そのため、通信が確立していない場合、高周波出力よる処置が行えなくなる。そこで、高周波出力装置３と超音波出力装置４との通信が確立しているときに、通信接続検知アイコン９３を表示することにより、ユーザは、高周波出力よる処置を行うことができることを認識できる。【０１１３】
リターンボタン９４は、後述する全機器表示画面に戻るためのボタンである。ユーザは、リターンボタン９４を押すことにより、全機器表示画面に戻ることができる。【０１１４】
次に、ハンドピース２ｂが超音波出力装置４に接続されたときの表示画面について説明する。【０１１５】
図８は、ハンドピース２ｂが超音波出力装置４に接続されている場合の表示画面の例を説明するための図である。【０１１６】
図８に示す表示画面は、ハンドピース２ｂが接続された場合に、表示部に自動的に表示される個別機器設定画面１００である。【０１１７】
個別機器設定画面１００は、VARモードの設定情報を表示する第１の表示画面１０１と、MAXモードの設定情報を表示する第２の表示画面１０２とを有している。【０１１８】
第１の表示画面１０１は、モード情報表示部１０３と、出力レベル表示部１０４と、出力レベル変更部１０５とを有している。【０１１９】
モード情報表示部１０３には、VARモードに対応してVARと表示される。出力レベル表示部８４には、現在の出力レベルが表示されており、出力レベル変更部１０５の＋ボタン１０５ａ及び−ボタン１０５ｂにより、出力レベルの変更が可能となっている。【０１２０】
なお、ハンドピース２ｂは、超音波と高周波とを同時に出力するモードがないため、図７における切開速度表示部８６は存在しない。【０１２１】
第２の表示画面１０２は、モード情報表示部１０６と、出力レベル表示部１０７とを有している。【０１２２】
モード情報表示部１０６には、MAXモードに対応してMAXと表示される。このMAXモードは超音波を常に最大出力、即ち、レベル３で出力するモードであるため、出力レベル表示部１０７には、レベル３が表示されている。また、出力レベルは常にレベル３のため、図７における出力レベル変更部８９は存在しない。【０１２３】
また、個別機器設定画面１００は、機種名表示部１０８と、シンボルアイコン１０９と、ＦＳＷ接続検知アイコン１１０ａ及び１１０ｂと、通信接続検知アイコン１１１と、リターンボタン１１２とを有している。【０１２４】
機種名表示部１０８には、超音波出力装置４に接続されているハンドピース２ｂの機種名として、例えばSONICBEAT（登録商標）と表示されている。また、シンボルアイコン１０９には、上述したシンボル６５ｂと同様のシンボルがアイコンとして表示される。【０１２５】
なお、ＦＳＷ接続検知アイコン１１０ａ、１１０ｂ、通信接続検知アイコン１１１及びリターンボタン１１２は、それぞれ図７のＦＳＷ接続検知アイコン９２ａ、９２ｂ、通信接続検知アイコン９３及びリターンボタン９４と同様のため説明を省略する。【０１２６】
次に、ハンドピース２ａ及び２ｂが超音波出力装置４に接続されているときの表示画面について説明する。【０１２７】
図９は、ハンドピース２ａ及び２ｂが超音波出力装置４に接続されているときの表示画面の例を説明するための図である。なお、図９において、図７及び図８と同様の構成については同一の符号を付して説明を省略する。【０１２８】
図９に示す表示画面は、ハンドピース２ａ及び２ｂが超音波出力装置４に接続されているときに表示部に自動的に表示される全機器表示画面１２０である。【０１２９】
全機器表示画面１２０は、ハンドピース２ａの設定情報を表示する第１の表示画面１２１と、ハンドピース２ｂの設定情報を表示する第２の表示画面１２２とを有する。【０１３０】
第１の表示画面１２１は、モード情報表示部８３と、出力レベル表示部８４と、モード情報表示部８７と、出力レベル表示部８８と、機種名表示部９０と、シンボルアイコン９１と、ＦＳＷ接続検知アイコン９２ａ及び９２ｂと有している。【０１３１】
また、第２の表示画面１２２は、モード情報表示部１０３と、出力レベル表示部１０４と、モード情報表示部１０６と、出力レベル表示部１０７と、機種名表示部１０８と、シンボルアイコン１０９と、ＦＳＷ接続検知アイコン１１０ａ及び１１０ｂと有している。【０１３２】
図９に示すように、ハンドピース２ａ及び２ｂが超音波出力装置４に接続された場合、第１の表示画面１２１にハンドピース２ａの設定情報が表示され、第２の表示画面１２２にハンドピース２ｂの設定情報が表示されるようになっている。【０１３３】
また、画面の分割については、超音波出力装置４に設けられている出力コネクタ４６ａ及び４６ｂの配置に合わせるようにしている。即ち、出力コネクタ４６ａ及び４６ｂは、図２に向かって左右方向に配置されている。そのため、第１の表示画面１２１及び第２の表示画面１２２は、それぞれ図９に向かって左側及び右側に配置されるように分割される。【０１３４】
さらに、ユーザが、例えば、第１の表示画面１２１に表示されている設定情報がハンドピース２ａ及び２ｂのいずれの設定情報かを認識し易くするために、出力コネクタ４６ａ及び４６ｂの配置と、第１の表示画面１２１及び第２の表示画面１２２の配置を合わせている。即ち、図２に向かって左側に配置されている出力コネクタ４６ａに接続されるハンドピース２ａの設定情報が、図９の全機器表示画面１２０に向かって左側に表示される。同様に、図２に向かって右側に配置されている出力コネクタ４６ｂに接続されるハンドピース２ｂの設定情報が、図９の全機器表示画面１２０に向かって右側に表示される。これにより、ユーザが、例えば、第１の表示画面１２１に表示されている設定情報がハンドピース２ａ及び２ｂのいずれの設定情報かを認識し易くなる。【０１３５】
このように、デバイスの接続状況に応じて最適な画面が自動的に表示されるため、ユーザは必要な情報のみを見ることができ、情報の認識性が良くなるという効果を有する。【０１３６】
次に、接続状況に応じて表示画面をグレーアウトする処理について説明する。【０１３７】
図１０は、ハンドピース２ａ及び２ｂが超音波出力装置４に接続されていないときの表示画面の例を説明するための図である。なお、図１０において、図９と同様の構成については同一の符号を付して説明を省略する。【０１３８】
図１０に示す表示画面は、ハンドピース２ａ及び２ｂが超音波出力装置４に接続されていないときに表示部に自動的に表示される全機器表示画面１３０である。【０１３９】
図１０に示すように、ハンドピース２ａが超音波出力装置４に接続されていない場合、第１の表示画面１２１のモード情報表示部８３、出力レベル表示部８４、モード情報表示部８７及び出力レベル表示部８８はクレーアウトされている。また、出力レベル表示部８４等に表示されている出力レベルが確認できるように、グレーアウトされる領域は薄い灰色としている。同様に、ハンドピース２ｂが超音波出力装置４に接続されていない場合、第２の表示画面１２２のモード情報表示部１０３、出力レベル表示部１０４、モード情報表示部１０６及び出力レベル表示部１０７はクレーアウトされている。【０１４０】
ここで、ユーザは、第１の表示画面１２１を押すことで、図７に示す個別機器設定画面８０を表示することができる。ユーザは、個別機器設定画面８０の出力レベル変更部８５及び８９を操作することで、それぞれSEAL＆CUTモード及びSEALモードの出力レベルを変更することができる。ユーザは、出力レベルを変更後、リターンボタン９４を押すことで、全機器表示画面１３０を表示することができる。同様に、ユーザは、第１２２の表示画面１２２を押すことで、図８に示す個別機器設定画面９０を表示することができ、出力レベルを変更後、リターンボタン１１２を押すと、全機器表示画面１３０を表示することができる。【０１４１】
図１１は、ハンドピース２ｂが超音波出力装置４に接続されていないときの表示画面の例を説明するための図である。なお、図１１において、図１０と同様の構成については同一の符号を付して説明を省略する。【０１４２】
図１１に示す表示画面は、ハンドピース２ａが超音波出力装置４に接続され、ハンドピース２ｂが超音波出力装置４に接続されていない場合、自動的に個別機器設定画面８０が表示されるが、その個別機器設定画面８０のリターンボタン９４を押すことで表示される全機器表示画面１４０である。【０１４３】
図１１に示すように、ハンドピース２ｂが超音波出力装置４に接続されていない場合、第２の表示画面１２２のモード情報表示部１０３、出力レベル表示部１０４、モード情報表示部１０６及び出力レベル表示部１０７はクレーアウトされている。一方、第１の表示画面１２１は、グレーアウトされず、通常の表示画面となっている。【０１４４】
このように、全機器表示画面では、未接続のハンドピースに対応する表示画面の設定情報をグレーアウトし、接続状態と未接続状態との差異を明確にし、接続されているハンドピースの設定情報の認識性を高くすることができる。また、グレーアウト状態でも設定値を確認できると共に、個別機器設定画面から出力レベルの設定も変更可能なため、デバイスの接続状態によって操作に制限が加わらず設定変更可能なため、使い勝手もよいという効果を有する。【０１４５】
次に、ハンドピース２ａまたは２ｂが超音波出力装置４に接続されているときに、表示画面を強調する処理について説明する。【０１４６】
図１２は、ハンドピース２ａが超音波出力装置４に接続されているときに、SEAL＆CUTモードで出力した場合の表示画面の例を説明するための図であり、図１３は、ハンドピース２ａが超音波出力装置４に接続されているときに、SEALモードで出力した場合の表示画面の例を説明するための図であり、図１４は、ハンドピース２ｂが超音波出力装置４に接続されているときに、MAXモードで出力した場合の表示画面の例を説明するための図であり、図１５は、ハンドピース２ｂが超音波出力装置４に接続されているときに、VARモードで出力した場合の表示画面の例を説明するための図である。【０１４７】
図１２に示す表示画面は、ハンドピース２ａが超音波出力装置４に接続されているときに、SEAL＆CUTモードで出力を開始したときに表示される出力モード画面１５０である。【０１４８】
ハンドピース２ａが超音波出力装置４に接続されている場合、図７に示す個別機器設定画面８０が表示される。ここで、SEAL＆CUTモードで出力を開始すると、出力モード画面１５０には、SEAL＆CUTモードの設定情報が画面全体に表示される。そして、この出力モード画面１５０では、上述したモード色により画面全体を覆う強調表示をすることにより、出力モードの認識性を高めている。【０１４９】
同様に、図１３に示す表示画面は、ハンドピース２ａが超音波出力装置４に接続されているときに、SEALモードで出力を開始したときに表示される出力モード画面１５１であり、図１４に示す表示画面は、ハンドピース２ｂが超音波出力装置４に接続されているときに、MAXモードで出力を開始したときに表示される出力モード画面１５２であり、図１５に示す表示画面は、ハンドピース２ｂが超音波出力装置４に接続されているときに、VARモードで出力を開始したときに表示される出力モード画面１５３である。【０１５０】
出力モード画面１５１〜１５３も、出力モード画面１５０と同様に、それぞれ対応するモード色により画面全体を覆う強調表示を行っている。【０１５１】
次に、ハンドピース２ａ及び２ｂが超音波出力装置４に接続されているときに、表示画面を強調する処理について説明する。【０１５２】
図１６は、ハンドピース２ａ及び２ｂが超音波出力装置４に接続されているときに、SEAL＆CUTモードで出力した場合の表示画面の例を説明するための図であり、図１７は、ハンドピース２ａ及び２ｂが超音波出力装置４に接続されているときに、SEALモードで出力した場合の表示画面の例を説明するための図であり、図１８は、ハンドピース２ａ及び２ｂが超音波出力装置４に接続されているときに、MAXモードで出力した場合の表示画面の例を説明するための図であり、図１９は、ハンドピース２ａ及び２ｂが超音波出力装置４に接続されているときに、VARモードで出力した場合の表示画面の例を説明するための図である。【０１５３】
図１６に示す表示画面は、ハンドピース２ａ及び２ｂが超音波出力装置４に接続されているときに、SEAL＆CUTモードで出力を開始したときに表示される全機器表示画面１６０である。【０１５４】
ハンドピース２ａ及び２ｂが超音波出力装置４に接続されている場合、図９に示す全機器表示画面１２０が表示される。ここで、SEAL＆CUTモードで出力を開始すると、全機器表示画面１６０には、SEAL＆CUTモードの設定情報が第１の表示画面１２１の全体に表示される。そして、この全機器表示画面１６０では、上述したモード色により第１の表示画面１２１の全体を覆う強調表示をすることにより、出力モードの認識性を高めている。【０１５５】
また、図９に示す全機器表示画面１２０において、第１の表示画面１２１を押すことにより、図７に示す個別機器設定画面８０が表示される。ここで、出力レベル変更部８５の＋ボタン８５ａまたは−ボタン８５ｂを操作し、出力レベルを変更した後、SEAL＆CUTモードによる出力が開始されると、図１６の全機器表示画面１６０に自動的に移行し、強調表示を行う。これにより、個別機器設定画面８０から出力を開始した場合も、自動的に全機器表示画面１６０に移行するので、ユーザは、ハンドピース２ａ及び２ｂのいずれから出力されているのかを直感的に認識することができる。【０１５６】
また、図１７に示す全機器表示画面１６１は、図７の個別機器設定画面８０または図９の全機器表示画面１２０が表示されているときに、SEALモードで出力が開始された場合に表示される。【０１５７】
また、図１８に示す全機器表示画面１６２は、図８の個別機器設定画面１００または図９の全機器表示画面１２０が表示されているときに、MAXモードで出力が開始された場合に表示される。【０１５８】
また、図１９に示す全機器表示画面１６３は、図８の個別機器設定画面１００または図９の全機器表示画面１２０が表示されているときに、VARモードで出力が開始された場合に表示される。【０１５９】
これにより、ユーザは、使用しているハンドピースと出力モードとを直感的に認識することが可能となる。【０１６０】
なお、２つのハンドピース２ａ及び２ｂが超音波出力装置４に接続される構成について説明したが、３つ以上のハンドピースが超音波出力装置４に接続されてもよい。【０１６１】
図２０は、３つのハンドピースが超音波出力装置４に接続されているときの表示画面の例を説明するための図である。【０１６２】
図２０に示す表示画面は、３つのハンドピースが超音波出力装置４に接続されているときに表示部に自動的に表示される全機器表示画面１６４である。【０１６３】
全機器表示画面１６４は、第１の表示画面１６５と、第２の表示画面１６６と、第３の表示画面１６７とを有している。また、第２の表示画面１６６は、グレーアウトされており、対応するハンドピースが接続されていないことを示している。さらに、第１〜第３の表示画面１６５〜１６７の配列は、超音波出力装置４に設けられる出力コネクタの配列と一致している。【０１６４】
図２１は、４つのハンドピースが超音波出力装置４に接続されているときの表示画面の例を説明するための図である。【０１６５】
図２１に示す表示画面は、４つのハンドピースが超音波出力装置４に接続されているときに表示部に自動的に表示される全機器表示画面１６８である。【０１６６】
全機器表示画面１６８は、第１の表示画面１６９と、第２の表示画面１７０と、第３の表示画面１７１と、第４の表示画面１７２とを有している。また、第１〜第４の表示画面１６９〜１７２の配列は、超音波出力装置４に設けられる出力コネクタの配列と一致している。【０１６７】
ここで、このようにＧＵＩ制御部５７によって実行される表示処理について説明する。【０１６８】
図２２は、表示処理の流れの例を説明するためのフローチャートである。【０１６９】
まず、ハンドピースが超音波出力装置に接続されているか否かが検出される（ステップＳ１）。ハンドピースが超音波出力装置に接続されていると検出された場合、YESとなり、接続されているハンドピースの数が検出され（ステップＳ２）、接続されているハンドピースの数に応じた画面のフォーマットが読み出され（ステップＳ３）。そして、メモリから前回の設定値が読み出され（ステップＳ４）、表示部に表示される（ステップＳ５）。【０１７０】
一方、ステップＳ１において、ハンドピースが超音波出力装置に接続されていないと検出された場合、NOとなり、最大の表示数に応じた画面のフォーマットが読み出され（ステップＳ６）、メモリから前回の設定値が読み出される（ステップＳ７）。そして、グレーアウト処理が行われ、表示部に表示される（ステップＳ８）。最後に、変更処理が実行され（ステップＳ９）、処理を終了する。【０１７１】
次に、ステップＳ９における変更処理について説明する。【０１７２】
図２３は、変更処理の流れの例を説明するためのフローチャートである。【０１７３】
まず、表示部に表示されている表示画面が全機器表示画面か否かが検出される（ステップＳ１１）。表示画面が全機器表示画面でない場合、NOとなり、ステップＳ１３に進む。一方、表示画面が全機器表示画面の場合、YESとなり、個別機器設定画面が読み出される（ステップＳ１２）。最後に、出力レベルが変更され（ステップＳ１３）、処理を終了する。【０１７４】
次に、強調表示処理について説明する。【０１７５】
図２４は、強調表示処理の流れの例を説明するためのフローチャートである。【０１７６】
まず、出力モードが検出される（ステップＳ２１）。そして、検出された出力モードに対応したモード色で強調表示が行われ（ステップＳ２２）、処理を終了する。【０１７７】
以上のように、超音波出力装置４のＧＵＩ制御部５７は、医療用デバイスであるハンドピース２ａ及び２ｂの接続状況に応じて、最適な表示画面が自動的に表示部６０に表示させるように制御する。このため、ユーザは、必要な設定情報のみを表示部６０により確認することができ、設定情報の認識性が良くなる。【０１７８】
また、ＧＵＩ制御部５７は、超音波出力装置４に接続されていないハンドピースの設定情報をグレーアウト表示する制御を行う。ユーザは、接続されているハンドピースの設定情報の認識性を高くすることができる。【０１７９】
さらに、ＧＵＩ制御部５７は、出力しているハンドピース対応する表示画面をモード色により強調表示する。このため、ユーザは、使用しているハンドピースと出力モードとを直感的に認識することが可能となる。【０１８０】
なお、本明細書におけるフローチャート中の各ステップは、その性質に反しない限り、実行順序を変更し、複数同時に実行し、あるいは実行毎に異なった順序で実行してもよい。【０１８１】
本発明は、上述した実施の形態に限定されるものではなく、本発明の要旨を変えない範囲において、種々の変更、改変等が可能である。【０１８２】
本出願は、２００９年１０月２８日に米国に仮出願された出願番号６１／２５５，５４０を優先権主張の基礎として出願するものであり、上記の開示内容は、本願明細書、請求の範囲、図面に引用されたものとする。
【図１】
2011052390.tif 000003
【図２】
2011052390.tif 000004
【図３Ａ】
2011052390.tif 000005
【図３Ｂ】
2011052390.tif 000006
【図４】
2011052390.tif 000007
【図５】
2011052390.tif 000008
【図６】
2011052390.tif 000009
【図７】
2011052390.tif 000010
【図８】
2011052390.tif 000011
【図９】
2011052390.tif 000012
【図１０】
2011052390.tif 000013
【図１１】
2011052390.tif 000014
【図１２】
2011052390.tif 000015
【図１３】
2011052390.tif 000016
【図１４】
2011052390.tif 000017
【図１５】
2011052390.tif 000018
【図１６】
2011052390.tif 000019
【図１７】
2011052390.tif 000020
【図１８】
2011052390.tif 000021
【図１９】
2011052390.tif 000022
【図２０】
2011052390.tif 000023
【図２１】
2011052390.tif 000024
【図２２】
2011052390.tif 000025
【図２３】
2011052390.tif 000026
【図２４】
2011052390.tif 000027
【手続補正書】
【提出日】平成23年3月1日(2011.3.1)
【手続補正２】
【補正対象書類名】明細書
【補正対象項目名】０００１
【補正方法】変更
【補正の内容】
【０００１】
本発明は、医療用デバイスの出力制御装置に関し、特に、医療用デバイスの設定情報を表示する表示部を備えた医療用デバイスの出力制御装置に関する。
【手続補正３】
【補正対象書類名】明細書
【補正対象項目名】０００８
【補正方法】変更
【補正の内容】
【０００８】
そこで、本発明は、医療用デバイスの接続状態に応じて、表示画面を分割して最適な画面を自動的に表示することができる医療用デバイスの出力制御装置を提供することを目的とする。
【手続補正４】
【補正対象書類名】明細書
【補正対象項目名】０００９
【補正方法】変更
【補正の内容】
【０００９】
本発明の一態様によれば、少なくとも２つの医療用デバイスを接続可能な医療用デバイスの出力制御装置であって、第１の医療用デバイスを接続するための第１の接続コネクタと、前記第１の接続コネクタと隣接して配置され、第２の医療用デバイスを接続するための第２の接続コネクタと、前記第１及び前記第２の接続コネクタのそれぞれに前記第１及び前記第２の医療用デバイスが接続されたことを検知する接続検知部と、前記第１の接続コネクタと前記第２の接続コネクタの配列に応じて予め決められた位置に、前記第１の医療用デバイスの設定情報を表示する第１の表示画面と、前記第２の医療用デバイスの設定情報を表示する第２の表示画面とを備えた、各医療用デバイスの設定情報を表示するための表示部と、前記接続検知部が前記第１の医療用デバイス及び前記第２の医療用デバイスが前記第１および前記第２の接続コネクタに接続されたことを検知した場合には、前記第１及び前記第２の表示画面にそれぞれ前記第１及び前記第２の医療用デバイスの設定情報を表示し、かつ、前記第１の医療用デバイスのみが前記第１の接続コネクタに接続されていることを検知した場合には、前記第１の医療用デバイスの設定情報を前記表示部の全体に表示し、かつ、前記第２の医療用デバイスのみが前記第２の接続コネクタに接続されていることを検知した場合には、前記第２の医療用デバイスの設定情報を前記表示部の全体に表示するように、前記第１及び前記第２の医療用デバイスの接続状態に応じて前記表示部の分割数を制御するとともに、前記接続検知部の接続状態を反映させた表示を行う制御部と、を有することを特徴とする医療用デバイスの出力制御装置を提供することができる。
また、本発明の他の態様によれば、少なくとも２つの医療用デバイスを接続可能な医療用デバイスの出力制御装置であって、各医療用デバイスを接続するための複数の接続コネクタと、前記複数の接続コネクタに前記各医療用デバイスが接続されたことを検知する接続検知部と、前記複数の接続コネクタの配列に応じて予め決められた位置に、前記各医療用デバイスの設定情報を表示する複数の表示画面を備え、前記各医療用デバイスの設定情報を表示する表示部と、前記接続検知部が前記複数の接続コネクタに接続されたことを検知した医療用デバイスの数に応じて、前記表示部を前記複数の表示画面に分割し、前記複数の表示画面に前記各医療用デバイスの設定情報を表示し、かつ、接続されていない医療用デバイスに対応する表示画面はグレーアウト状態で表示する制御を行うとともに、前記接続検知部の接続状態を反映させた表示を行う制御部と、を有することを特徴とする医療用デバイスの出力制御装置を提供することができる。
また、本発明の他の態様によれば、少なくとも２つの医療用デバイスを接続可能な医療用デバイスの出力制御装置であって、各医療用デバイスを接続するための複数の接続コネクタと、前記複数の接続コネクタに前記各医療用デバイスが接続されたことを検知する接続検知部と、前記複数の接続コネクタの配列に応じて予め決められた位置に、前記各医療用デバイスの設定情報を表示する複数の表示画面を備え、前記各医療用デバイスの設定情報を表示する表示部と、前記接続検知部が前記複数の接続コネクタに接続されたことを検知した医療用デバイスの数に応じて、前記表示部を前記複数の表示画面に分割し、前記複数の表示画面に前記各医療用デバイスの設定情報を表示し、かつ、出力中の医療用デバイスに対応する表示画面を、出力中であることを示すように強調表示する制御を行うとともに、前記接続検知部の接続状態を反映させた表示を行う制御部と、を有することを特徴とする医療用デバイスの出力制御装置を提供することができる。
【手続補正５】
【補正対象書類名】特許請求の範囲
【補正対象項目名】全文
【補正方法】変更
【補正の内容】
【特許請求の範囲】
【請求項１】
少なくとも２つの医療用デバイスを接続可能な医療用デバイスの出力制御装置であって、
第１の医療用デバイスを接続するための第１の接続コネクタと、
前記第１の接続コネクタと隣接して配置され、第２の医療用デバイスを接続するための第２の接続コネクタと、
前記第１及び前記第２の接続コネクタのそれぞれに前記第１及び前記第２の医療用デバイスが接続されたことを検知する接続検知部と、
前記第１の接続コネクタと前記第２の接続コネクタの配列に応じて予め決められた位置に、前記第１の医療用デバイスの設定情報を表示する第１の表示画面と、前記第２の医療用デバイスの設定情報を表示する第２の表示画面とを備えた、各医療用デバイスの設定情報を表示するための表示部と、
前記接続検知部が前記第１の医療用デバイス及び前記第２の医療用デバイスが前記第１および前記第２の接続コネクタに接続されたことを検知した場合には、前記第１及び前記第２の表示画面にそれぞれ前記第１及び前記第２の医療用デバイスの設定情報を表示し、かつ、前記第１の医療用デバイスのみが前記第１の接続コネクタに接続されていることを検知した場合には、前記第１の医療用デバイスの設定情報を前記表示部の全体に表示し、かつ、前記第２の医療用デバイスのみが前記第２の接続コネクタに接続されていることを検知した場合には、前記第２の医療用デバイスの設定情報を前記表示部の全体に表示するように、前記第１及び前記第２の医療用デバイスの接続状態に応じて前記表示部の分割数を制御するとともに、前記接続検知部の接続状態を反映させた表示を行う制御部と、
を有することを特徴とする医療用デバイスの出力制御装置。
【請求項２】
前記第１の表示画面と前記第２の表示画面は、前記医療用デバイスの出力制御装置に備えられた前記第１及び前記第２の医療用デバイスを接続するためのコネクタの配列と同様の配列で前記表示部に表示されていることを特徴とする請求項１に記載の医療用デバイスの出力制御装置。
【請求項３】
前記第１及び前記第２の医療用デバイスは、それぞれ第１の出力モードと第２の出力モードとを有することを特徴とする請求項１に記載の医療用デバイスの出力制御装置。
【請求項４】
前記医療用デバイスの出力制御装置は、前記第１及び前記第２の医療用デバイスに超音波駆動信号を出力する超音波出力装置であることを特徴とする請求項１に記載の医療用デバイスの出力制御装置。
【請求項５】
前記医療用デバイスは、医療用ハンドピースであることを特徴とする請求項１に記載の医療用デバイスの出力制御装置。
【請求項６】
少なくとも２つの医療用デバイスを接続可能な医療用デバイスの出力制御装置であって、
各医療用デバイスを接続するための複数の接続コネクタと、
前記複数の接続コネクタに前記各医療用デバイスが接続されたことを検知する接続検知部と、
前記複数の接続コネクタの配列に応じて予め決められた位置に、前記各医療用デバイスの設定情報を表示する複数の表示画面を備え、前記各医療用デバイスの設定情報を表示する表示部と、
前記接続検知部が前記複数の接続コネクタに接続されたことを検知した医療用デバイスの数に応じて、前記表示部を前記複数の表示画面に分割し、前記複数の表示画面に前記各医療用デバイスの設定情報を表示し、かつ、接続されていない医療用デバイスに対応する表示画面はグレーアウト状態で表示する制御を行うとともに、前記接続検知部の接続状態を反映させた表示を行う制御部と、
を有することを特徴とする医療用デバイスの出力制御装置。
【請求項７】
前記グレーアウト状態で表示された前記接続されていない医療用デバイスの表示画面において、前記接続されていない医療用デバイスの設定情報を変更可能であることを特徴とする請求項６に記載の医療用デバイスの出力制御装置。
【請求項８】
前記各医療用デバイスは、それぞれ第１の出力モードと第２の出力モードとを有することを特徴とする請求項６に記載の医療用デバイスの出力制御装置。
【請求項９】
前記医療用デバイスの出力制御装置は、前記各医療用デバイスに超音波駆動信号を出力する超音波出力装置であることを特徴とする請求項６に記載の医療用デバイスの出力制御装置。
【請求項１０】
前記医療用デバイスは、医療用ハンドピースであることを特徴とする請求項６に記載の医療用デバイスの出力制御装置。
【請求項１１】
少なくとも２つの医療用デバイスを接続可能な医療用デバイスの出力制御装置であって、
各医療用デバイスを接続するための複数の接続コネクタと、
前記複数の接続コネクタに前記各医療用デバイスが接続されたことを検知する接続検知部と、
前記複数の接続コネクタの配列に応じて予め決められた位置に、前記各医療用デバイスの設定情報を表示する複数の表示画面を備え、前記各医療用デバイスの設定情報を表示する表示部と、
前記接続検知部が前記複数の接続コネクタに接続されたことを検知した医療用デバイスの数に応じて、前記表示部を前記複数の表示画面に分割し、前記複数の表示画面に前記各医療用デバイスの設定情報を表示し、かつ、出力中の医療用デバイスに対応する表示画面を、出力中であることを示すように強調表示する制御を行うとともに、前記接続検知部の接続状態を反映させた表示を行う制御部と、
を有することを特徴とする医療用デバイスの出力制御装置。
【請求項１２】
前記出力中の医療用デバイスに対応する表示画面は、前記出力中の医療用デバイスのモード色で覆われていることを特徴とする請求項１１に記載の医療用デバイスの出力制御装置。
【請求項１３】
前記各医療用デバイスは、それぞれ第１の出力モードと第２の出力モードとを有することを特徴とする請求項１１に記載の医療用デバイスの出力制御装置。
【請求項１４】
前記医療用デバイスの出力制御装置は、前記各医療用デバイスに超音波駆動信号を出力する超音波出力装置であることを特徴とする請求項１１に記載の医療用デバイスの出力制御装置。
【請求項１５】
前記医療用デバイスは、医療用ハンドピースであることを特徴とする請求項１１に記載の医療用デバイスの出力制御装置。
【手続補正書】
【提出日】平成23年6月20日(2011.6.20)
【手続補正１】
【補正対象書類名】明細書
【補正対象項目名】０００９
【補正方法】変更
【補正の内容】
【０００９】
本発明の一態様によれば、少なくとも２つの医療用デバイスを接続可能な医療用デバイスの出力制御装置であって、前記出力装置の一側面に設けられ、第１の医療用デバイスを接続するための第１の接続コネクタと、前記一側面に設けられると共に、前記第１の接続コネクタと隣接して配置され、第２の医療用デバイスを接続するための第２の接続コネクタと、前記第１及び前記第２の接続コネクタのそれぞれに前記第１及び前記第２の医療用デバイスが接続されたことを検知する接続検知部と、前記一側面に設けられ、前記第１の医療用デバイスの設定情報及び／又は前記第２の医療用デバイスの設定情報を表示するための表示画面を有する表示部と、前記第１の医療用デバイス及び前記第２の医療用デバイスが前記第１および前記第２の接続コネクタに接続されたことを前記接続検知部が検知した場合には、前記第１の接続コネクタに対する前記第２の接続コネクタが配置される方向に基づいて前記表示部の表示画面を前記第１の医療用デバイスの設定情報を表示させる第１の表示画面と前記第２の医療用デバイスの設定情報を表示させる第２の表示画面とを有するように上下又は左右に分割し、且つ前記表示部の表示画面において分割した前記第１の表示画面及び前記第２の表示画面の配置関係が前記第１の接続コネクタ及び前記第２の接続コネクタの配置関係と合うように前記第１の表示画面及び前記第２の表示画面の表示状態を制御する制御部と、を有することを特徴とする医療用デバイスの出力制御装置を提供することができる。
また、本発明の他の態様によれば、生体組織を処置するために少なくとも２つの出力モードを有する第１の医療用デバイスと、前記生体組織を処置するために少なくとも２つの出力モードを有する第２の医療用デバイスとを接続可能な医療用デバイスの出力制御装置であって、前記第１の医療用デバイスを接続するための第１の接続コネクタと、前記第２の医療用デバイスを接続するための第２の接続コネクタと、前記第１の接続コネクタに前記第１の医療用デバイスが接続されたか否か、及び前記第２の接続コネクタに前記第２の医療用デバイスが接続されたか否か、を検知する接続検知部と、前記第１の医療用デバイスの各出力モードに対応したモード情報を含む設定情報及び／又は前記第２の医療用デバイスの各出力モードに対応したモード情報を含む設定情報を表示するための表示画面を有する表示部と、前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面を前記第１の医療用デバイスの前記各モード情報を含む前記設定情報を表示する第１の表示画面と前記第２の医療用デバイスの前記各モード情報を含む前記設定情報を表示する第２の表示画面とに分割して表示する第１状態と、前記第１の医療用デバイスを所定の出力モードで出力したとき、前記第１の表示画面内において前記所定の出力モードに対応するモード情報を前記第１状態より拡大して表示する第２の状態と、前記第２の医療用デバイスを所定の出力モードで出力したとき、前記第２の表示画面内において前記所定の出力モード対応するモード情報を前記第１状態より拡大して表示する第３状態と、になるように前記表示部の表示を制御する制御部と、を有することを特徴とする医療用デバイスの出力制御装置を提供することができる。
また、本発明の他の態様によれば、少なくとも２つの医療用デバイスを接続可能な医療用デバイスの出力制御装置であって、前記出力装置の一側面に設けられ、第１の医療用デバイスを接続するための第１の接続コネクタと、前記一側面に設けられると共に前記第１の接続コネクタと隣接して配置され、第２の医療用デバイスを接続するための第２の接続コネクタと、前記第１の接続コネクタに前記第１の医療用デバイスが接続されたか否か、及び前記第２の接続コネクタに前記第２の医療用デバイスが接続されたか否か、を検知する接続検知部と、前記一側面に設けられ、前記第１の医療用デバイスの設定情報及び／又は前記第２の医療用デバイスの設定情報を表示するための表示画面を有する表示部と、前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面に前記第１の医療用デバイスの設定情報を含む第１の表示画面と前記第２の医療用デバイスの設定情報を含む第２の表示画面とを表示し、さらに前記表示部の表示画面上で前記第１の接続コネクタと前記第２の接続コネクタとの配置関係が視認できるように、前記表示部の表示画面において前記第１の表示画面と前記第２の表示画面とを前記第１の接続コネクタと前記第２の接続コネクタとの前記配置関係と合う位置に表示させる制御部と、を有することを特徴とする医療用デバイスの出力制御装置を提供することができる。
【手続補正２】
【補正対象書類名】特許請求の範囲
【補正対象項目名】全文
【補正方法】変更
【補正の内容】
【特許請求の範囲】
【請求項１】
少なくとも２つの医療用デバイスを接続可能な医療用デバイスの出力制御装置であって、
前記出力装置の一側面に設けられ、第１の医療用デバイスを接続するための第１の接続コネクタと、
前記一側面に設けられると共に、前記第１の接続コネクタと隣接して配置され、第２の医療用デバイスを接続するための第２の接続コネクタと、
前記第１及び前記第２の接続コネクタのそれぞれに前記第１及び前記第２の医療用デバイスが接続されたことを検知する接続検知部と、
前記一側面に設けられ、前記第１の医療用デバイスの設定情報及び／又は前記第２の医療用デバイスの設定情報を表示するための表示画面を有する表示部と、
前記第１の医療用デバイス及び前記第２の医療用デバイスが前記第１および前記第２の接続コネクタに接続されたことを前記接続検知部が検知した場合には、前記第１の接続コネクタに対する前記第２の接続コネクタが配置される方向に基づいて前記表示部の表示画面を前記第１の医療用デバイスの設定情報を表示させる第１の表示画面と前記第２の医療用デバイスの設定情報を表示させる第２の表示画面とを有するように上下又は左右に分割し、且つ前記表示部の表示画面において分割した前記第１の表示画面及び前記第２の表示画面の配置関係が前記第１の接続コネクタ及び前記第２の接続コネクタの配置関係と合うように前記第１の表示画面及び前記第２の表示画面の表示状態を制御する制御部と、
を有することを特徴とする医療用デバイスの出力制御装置。
【請求項２】
前記第１の医療用デバイスのみが前記第１の接続コネクタに接続されていることを前記接続検知部が検知した場合には、前記制御部は、前記第１の医療用デバイスの設定情報を前記表示部の表示画面全体に表示することを特徴とする請求項１に記載の医療用デバイスの出力制御装置。
【請求項３】
前記第２の医療用デバイスのみが前記第２の接続コネクタに接続されていることを前記接続検知部が検知した場合には、前記制御部は、前記第２の医療用デバイスの設定情報を前記表示部の表示画面全体に表示することを特徴とする請求項１に記載の医療用デバイスの出力制御装置。
【請求項４】
生体組織を処置するために少なくとも２つの出力モードを有する第１の医療用デバイスと、前記生体組織を処置するために少なくとも２つの出力モードを有する第２の医療用デバイスとを接続可能な医療用デバイスの出力制御装置であって、
前記第１の医療用デバイスを接続するための第１の接続コネクタと、
前記第２の医療用デバイスを接続するための第２の接続コネクタと、
前記第１の接続コネクタに前記第１の医療用デバイスが接続されたか否か、及び前記第２の接続コネクタに前記第２の医療用デバイスが接続されたか否か、を検知する接続検知部と、
前記第１の医療用デバイスの各出力モードに対応したモード情報を含む設定情報及び／又は前記第２の医療用デバイスの各出力モードに対応したモード情報を含む設定情報を表示するための表示画面を有する表示部と、
前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面を前記第１の医療用デバイスの前記各モード情報を含む前記設定情報を表示する第１の表示画面と前記第２の医療用デバイスの前記各モード情報を含む前記設定情報を表示する第２の表示画面とに分割して表示する第１状態と、前記第１の医療用デバイスを所定の出力モードで出力したとき、前記第１の表示画面内において前記所定の出力モードに対応するモード情報を前記第１状態より拡大して表示する第２の状態と、前記第２の医療用デバイスを所定の出力モードで出力したとき、前記第２の表示画面内において前記所定の出力モード対応するモード情報を前記第１状態より拡大して表示する第３状態と、になるように前記表示部の表示を制御する制御部と、
を有することを特徴とする医療用デバイスの出力制御装置。
【請求項５】
前記制御部は、前記第1状態において、前記第１の接続コネクタに対する前記第２の接続コネクタが配置される方向に基づいて前記第１の表示画面と前記第２の表示画面とを上下又は左右に分割し、さらに分割した前記第１の表示画面及び前記第２の表示画面の配置関係が前記第１の接続コネクタ及び前記第２の接続コネクタの配置関係と合うように前記第１の表示画面及び前記第２の表示画面の表示状態を制御することを特徴とする請求項４に記載の医療用デバイスの出力制御装置。
【請求項６】
前記第１の医療用デバイスのみが前記第１の接続コネクタに接続されていることを前記接続検知部が検知した場合には、前記制御部は、前記第１の医療用デバイスの前記各モード情報を含む前記設定情報を前記表示部の表示画面全体に表示し、さらに前記第１の医療用デバイスを所定の出力モードで出力したとき、該所定の出力モードに対応するモード情報を前記表示画面全体に拡大して表示することを特徴とする請求項４に記載の医療用デバイスの出力制御装置。
【請求項７】
前記第２の医療用デバイスのみが前記第２の接続コネクタに接続されていることを前記接続検知部が検知した場合には、前記制御部は、前記第２の医療用デバイスの前記各モード情報を含む前記設定情報を前記表示部の表示画面全体に表示し、さらに前記第２の医療用デバイスを所定の出力モードで出力したとき、該所定の出力モードに対応するモード情報を前記表示画面全体に拡大して表示することを特徴とする請求項４に記載の医療用デバイスの出力制御装置。
【請求項８】
少なくとも２つの医療用デバイスを接続可能な医療用デバイスの出力制御装置であって、
前記出力装置の一側面に設けられ、第１の医療用デバイスを接続するための第１の接続コネクタと、
前記一側面に設けられると共に前記第１の接続コネクタと隣接して配置され、第２の医療用デバイスを接続するための第２の接続コネクタと、
前記第１の接続コネクタに前記第１の医療用デバイスが接続されたか否か、及び前記第２の接続コネクタに前記第２の医療用デバイスが接続されたか否か、を検知する接続検知部と、
前記一側面に設けられ、前記第１の医療用デバイスの設定情報及び／又は前記第２の医療用デバイスの設定情報を表示するための表示画面を有する表示部と、
前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面に前記第１の医療用デバイスの設定情報を含む第１の表示画面と前記第２の医療用デバイスの設定情報を含む第２の表示画面とを表示し、さらに前記表示部の表示画面上で前記第１の接続コネクタと前記第２の接続コネクタとの配置関係が視認できるように、前記表示部の表示画面において前記第１の表示画面と前記第２の表示画面とを前記第１の接続コネクタと前記第２の接続コネクタとの前記配置関係と合う位置に表示させる制御部と、
を有することを特徴とする医療用デバイスの出力制御装置。
【手続補正書】
【提出日】平成24年1月30日(2012.1.30)
【手続補正１】
【補正対象書類名】明細書
【補正対象項目名】０００９
【補正方法】変更
【補正の内容】
【０００９】
本発明の一態様によれば、生体組織を処置するために少なくとも２つの出力モードを有する第１の医療用デバイスと、前記生体組織を処置するために少なくとも２つの出力モードを有する第２の医療用デバイスとを接続可能な医療用デバイスの出力制御装置であって、前記第１の医療用デバイスを接続するための第１の接続コネクタと、前記第２の医療用デバイスを接続するための第２の接続コネクタと、前記第１の接続コネクタに前記第１の医療用デバイスが接続されたか否か、及び前記第２の接続コネクタに前記第２の医療用デバイスが接続されたか否か、を検知する接続検知部と、前記第１の医療用デバイスの各出力モードに対応したモード情報を含む設定情報及び／又は前記第２の医療用デバイスの各出力モードに対応したモード情報を含む設定情報を表示するための表示画面を有する表示部と、前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面を前記第１の医療用デバイスの前記各モード情報を含む前記設定情報を表示する第１の表示画面と前記第２の医療用デバイスの前記各モード情報を含む前記設定情報を表示する第２の表示画面とに分割して表示する第１状態と、前記第１の医療用デバイスを所定の出力モードで出力したとき、前記第１の表示画面内において前記所定の出力モードに対応するモード情報を前記第１状態より拡大して表示する第２の状態と、前記第２の医療用デバイスを所定の出力モードで出力したとき、前記第２の表示画面内において前記所定の出力モード対応するモード情報を前記第１状態より拡大して表示する第３状態と、になるように前記表示部の表示を制御する制御部と、を有することを特徴とする医療用デバイスの出力制御装置を提供することができる。
【手続補正２】
【補正対象書類名】特許請求の範囲
【補正対象項目名】全文
【補正方法】変更
【補正の内容】
【特許請求の範囲】
【請求項１】
生体組織を処置するために少なくとも２つの出力モードを有する第１の医療用デバイスと、前記生体組織を処置するために少なくとも２つの出力モードを有する第２の医療用デバイスとを接続可能な医療用デバイスの出力制御装置であって、
前記第１の医療用デバイスを接続するための第１の接続コネクタと、
前記第２の医療用デバイスを接続するための第２の接続コネクタと、
前記第１の接続コネクタに前記第１の医療用デバイスが接続されたか否か、及び前記第２の接続コネクタに前記第２の医療用デバイスが接続されたか否か、を検知する接続検知部と、
前記第１の医療用デバイスの各出力モードに対応したモード情報を含む設定情報及び／又は前記第２の医療用デバイスの各出力モードに対応したモード情報を含む設定情報を表示するための表示画面を有する表示部と、
前記第１の医療用デバイスと前記第１の接続コネクタとが接続され、且つ前記第２の医療用デバイスと前記第２の接続コネクタとが接続されたことを前記接続検知部が検知した場合には、前記表示部の表示画面を前記第１の医療用デバイスの前記各モード情報を含む前記設定情報を表示する第１の表示画面と前記第２の医療用デバイスの前記各モード情報を含む前記設定情報を表示する第２の表示画面とに分割して表示する第１状態と、前記第１の医療用デバイスを所定の出力モードで出力したとき、前記第１の表示画面内において前記所定の出力モードに対応するモード情報を前記第１状態より拡大して表示する第２の状態と、前記第２の医療用デバイスを所定の出力モードで出力したとき、前記第２の表示画面内において前記所定の出力モード対応するモード情報を前記第１状態より拡大して表示する第３状態と、になるように前記表示部の表示を制御する制御部と、
を有することを特徴とする医療用デバイスの出力制御装置。
【請求項２】
前記制御部は、前記第1状態において、前記第１の接続コネクタに対する前記第２の接続コネクタが配置される方向に基づいて前記第１の表示画面と前記第２の表示画面とを上下又は左右に分割し、さらに分割した前記第１の表示画面及び前記第２の表示画面の配置関係が前記第１の接続コネクタ及び前記第２の接続コネクタの配置関係と合うように前記第１の表示画面及び前記第２の表示画面の表示状態を制御することを特徴とする請求項１に記載の医療用デバイスの出力制御装置。
【請求項３】
前記第１の医療用デバイスのみが前記第１の接続コネクタに接続されていることを前記接続検知部が検知した場合には、前記制御部は、前記第１の医療用デバイスの前記各モード情報を含む前記設定情報を前記表示部の表示画面全体に表示し、さらに前記第１の医療用デバイスを所定の出力モードで出力したとき、該所定の出力モードに対応するモード情報を前記表示画面全体に拡大して表示することを特徴とする請求項１に記載の医療用デバイスの出力制御装置。
【請求項４】
前記第２の医療用デバイスのみが前記第２の接続コネクタに接続されていることを前記接続検知部が検知した場合には、前記制御部は、前記第２の医療用デバイスの前記各モード情報を含む前記設定情報を前記表示部の表示画面全体に表示し、さらに前記第２の医療用デバイスを所定の出力モードで出力したとき、該所定の出力モードに対応するモード情報を前記表示画面全体に拡大して表示することを特徴とする請求項１に記載の医療用デバイスの出力制御装置。
【国際調査報告】
2011052390.tif 000028
2011052390.tif 000029
2011052390.tif 000030
2011052390.tif 000031